(57)【特許請求の範囲】
【請求項１】
浴槽、流し、洗面器等の容体に設けられた排水栓にレリースワイヤを介して連結された操作部の押動操作で前記排水栓を開閉する排水栓装置において、前記操作部における押し釦ケースに押し釦側とは逆側から凹設された凹窪部にレリースワイヤ一端側を挿入してそのレリースワイヤから突出するインナーコアを押し釦で押動可能とし、レリースワイヤにおけるアウターチューブ一端に形成された鍔部を凹窪部底に当て付けられたワッシャー部材に当接し、該アウターチューブに外嵌状に設けられて一端が前記鍔部に当接もしくは近接するリング状部材の他端を、前記凹窪部に連通して押し釦ケースの側部に開孔した差込孔からレリースワイヤを避けて差し込まれて凹窪部に係止される止め部材で直接的もしくは間接的に支承していることを特徴とする排水栓装置。
【請求項２】
浴槽、流し、洗面器等の容体に設けられた排水栓にレリースワイヤを介して連結された操作部の押動操作で前記排水栓を開閉し、該操作部を容体の内壁面に設けた排水栓装置において、前記操作部における押し釦ケースに押し釦側とは逆側から凹設された凹窪部にレリースワイヤ一端側を挿入してそのレリースワイヤから突出するインナーコアを押し釦で押動可能とし、レリースワイヤにおけるアウターチューブ一端に形成された鍔部を凹窪部底に当て付けられたワッシャー部材に当接し、該アウターチューブに外嵌状に設けられて一端が前記鍔部に当接もしくは近接するリング状部材の他端を、前記凹窪部に連通して押し釦ケースの側部に開孔した差込孔からインナーコアを避けて差し込まれて凹窪部に係止される止め部材で間接的に支承してなり、前記間接的に支承させる手段が、止め部材とリング状部材との間に介在されて凹窪部とアウターチューブとの間を閉塞する環状のシール部材であることを特徴とする排水栓装置。
【請求項３】
前記リング状部材の前記一端がアウターチューブの鍔部に当接もしくは近接する鋭利形状に形成してあることを特徴とする請求項１または２記載の排水栓装置。
【請求項４】
前記ワッシャー部材がアウターチューブの鍔部外面と凹窪部内面との空間を閉塞して凹窪部に嵌挿され前記鍔部を嵌合する有底筒状を呈していることを特徴とする請求項１〜３いずれか１項記載の排水栓装置。
【請求項５】
浴槽、流し、洗面器等の容体に設けられた排水栓にレリースワイヤを介して連結された操作部の押動操作で前記排水栓を開閉する排水栓装置において、前記操作部における押し釦ケースに押し釦側とは逆側から凹設された凹窪部にレリースワイヤ一端側を挿入してそのレリースワイヤから突出するインナーコアを押し釦で押動可能とし、レリースワイヤにおけるアウターチューブ一端に形成された鍔部を凹窪部底に当て付けられたワッシャー部材に当接すると共にそのワッシャー部材に対して前記鍔部を挟んでアウターチューブに外嵌挿されるバネ受け部材を設け、そのバネ受け部材と、前記凹窪部に連通して押し釦ケースの側部に開孔された差込孔からレリースワイヤを避けて差し込まれて同凹窪部に係止する止め部材とに亘って圧縮弾機を介在していることを特徴とする排水栓装置。
【請求項６】
前記排水栓装置がその操作部を容体の内壁部に設けられる容体内レリース配線タイプであり、且つ前記止め部材と圧縮弾機との間に前記凹窪部とアウターチューブとの間を閉塞する環状のシール部材を介在していることを特徴とする請求項５記載の排水栓装置。
【請求項７】
前記押し釦ケースが容体の内壁部に設けられるベース板に取り付けられ、前記差込孔がベース板に相対して開孔されていることを特徴とする請求項２または６記載の排水栓装置。
【請求項８】
前記排水栓が、排水口内の口芯に配設した有底筒状の案内部と、栓蓋から垂設され前記案内部に上下動可能な案内される内部中空な昇降体と、その昇降体の底部から同昇降体内に一端側が挿入され他端部を案内部の底部に係止した支軸と、前記栓蓋を貫通して昇降体内に位置するレリースワイヤ他端側のインナーコアと、支軸と昇降体との間に設けられ操作部の押動操作によるインナーコアの前進で同インナーコア他端を支軸に形成されている凹部底に突き当てて昇降体と共に栓蓋を持上げロックして開栓し次のインナーコアの前進でそのロックを解除して閉栓するスラストロック機構とを有する構成とし、前記栓蓋もしくは昇降体から昇降体内に向けてインナーコアの案内筒を垂設し、該案内筒を前記支軸の凹部に僅かなクリアランスを介して遊嵌もしくは摺接関係に構成し、且つ案内筒の垂設長さを前記ロック解除状態において該案内筒が前記凹部内に位置する長さにしていることを特徴とする請求項２、６、７いずれか１項記載の排水栓装置。
【発明の詳細な説明】
【０００１】
【発明の属する技術分野】
本発明は、排水栓装置、更に詳しくは操作部の押し釦を押動操作する度にロックとロック解除を交互に繰り返して排水栓を開栓・閉栓するスラストロック機構を作動部として有する排水栓装置に関するものである。
【０００２】
【従来技術】
従来、排水栓装置として特開平８−１７７１００号公報（前者）が存在する。
この先行技術は、図１３に示すようにレリースワイヤ３のアウターチューブ２３端部に鍔部２３１を周設し、その鍔部２３１をジョイント金具９の押し釦ケース２１側ではない逆側の端部に形成した収容凹部１９に収容し、その収容凹部１９内の前記鍔部２３１とアウターチューブ２３外周面との間にアウターチューブ２３に遊嵌する回転案内用リング材１０を介装し、そのジョイント金具９を回転案内用リング材１０に固定すると共にそのジョイント金具９の押し釦ケース２１側の端部を押し釦ケース２１の下端に設けた螺子孔２１’に螺着して構成した操作部１とレリースワイヤ３との連結構造を開示している。
この操作部１は、ジョイント金具９を挿通して上方に突出するインナーコア１３の上端を押し釦３１の軸３１１に連結した状態でその軸３１１を押し釦ケース２１に開孔した通孔２１２下方開放部から上方に向けて挿入しながらジョイント金具９に押し釦ケース２１の螺子孔２１’に螺着させる構造のものであり、回転案内用リング材１０が、アウターチューブ２３の鍔部２３１に係止して抜けを防止した状態でアウターチューブ２３と無関係にジョイント金具９と共回りして、レリースワイヤ３を回転させることなくジョイント金具９を押し釦ケース２１に連結可能にしている。
前記するレリースワイヤの他端は、排水栓に設けたスラストロック機構からなる作動部に連結されている。
また、本出願人提案の技術として特願平１１−３６８４０２号（後者）開示の容体内レリースワイヤ配線タイプの排水栓装置も存在する。
この先行技術は、排水栓２に設けたスラストロック機構５２を作動部とした容体内レリース配線タイプの排水栓装置であり、その排水栓を、図１４に示すように排水口１０１内の口芯に配設した有底筒状の案内部１２と、栓蓋２２から垂設され前記案内部１２に上下動可能な案内される内部中空な昇降体３２と、その昇降体３２の底部から同昇降体３２内に一端側が挿入され他端部を案内部１２の底部に係止した支軸４２と、前記栓蓋２２を貫通して昇降体３２内に位置するレリースワイヤ３他端側のインナーコア１３と、支軸４２と昇降体３２との間に設けられ操作部の押動操作によるインナーコア１３の前進で同インナーコア１３他端を支軸４２に形成されている凹部４２１底に突き当てて昇降体３２と共に栓蓋２２を持上げロックして開栓し次のインナーコア１３の前進でそのロックを解除して閉栓するスラストロック機構５２とを有する構成としている。
【０００３】
しかしながら、前者では、レリースワイヤ３を操作部（詳細には押し釦ケース）１に連結するに際してジョイント金具９の螺子込みが必須であり、プライヤー等の工具での増し締めも必要となるため、生産工場での操作部に対するレリースワイヤの組付け作業が非常に面倒である。
また、ジョイント金具９が押し釦ケース２１の下端から露出することから、例えば浴槽、流し、洗面器等の容体、特に浴槽内にレリースワイヤを配線するタイプの排水栓装置においては、押し釦ケース２１の下部に露出するジョイント金具９で入浴者が怪我をする問題をも有している。
更に、閉栓状態で踏みつける等して押圧力が排水栓（栓蓋）に掛かっている状態で誤って押し釦を押動操作するアクシデント時に、インナーコアが座屈変形する虞れがあった。
また、後者においては、開栓状態で図１４に示すように支軸４２の上方のインナーコア１３が昇降体３２内の空間に臨むことから、開栓状態から押し釦３１を押動操作してロックを解除した段階で押し釦３１を押しっぱなしのまま誤って栓蓋２２に負荷荷重がかかるアクシデントによって、凹部４２１上方部位の昇降体３２内空間でインナーコア１３部分が座屈変形する問題が発生する（二点鎖線参照）。この問題は、清掃時に発生したり、子供が悪ふざけをした時等に発生する。このように座屈変形が生じると排水栓装置の分解を伴うインナーコア１３の交換を強いられ、交換作業が非常に面倒になってしまう。
【０００４】
【発明が解決しようとする課題】
本発明は上記従来事情に鑑みてなされたもので、その目的とする処は、操作部に対するレリースワイヤの連結作業が簡単で、しかも金具が外部に露出しない排水栓装置を提供することにある。
他の目的とする処は、閉栓状態で踏みつける等して押圧力が栓蓋に掛かっている状態で誤って押し釦を押動操作してもインナーコアが座屈する虞れがない排水栓装置を提供することにある。
また、更に他の目的とする処は、排水栓にスラストロック機構を作動部として有する容体内レリース配線タイプの排水栓装置において、開栓状態から押し釦を押動操作してロックを解除した段階で押し釦を押っぱないしのまま誤って栓蓋に負荷荷重がかかってもインナーコアが座屈する虞れがない排水栓装置を提供することにある。
【０００５】
【課題を解決するための手段】
上記目的を解決するために講じた技術的手段は、浴槽、流し、洗面器等の容体に設けられた排水栓にレリースワイヤを介して連結された操作部の押動操作で前記排水栓を開閉する排水栓装置において、前記操作部における押し釦ケースに押し釦側とは逆側から凹設された凹窪部にレリースワイヤ一端側を挿入してそのレリースワイヤから突出するインナーコアを押し釦で押動可能とし、レリースワイヤにおけるアウターチューブ一端に形成された鍔部を凹窪部底に当て付けられたワッシャー部材に当接し、該アウターチューブに外嵌状に設けられて一端が前記鍔部に当接もしくは近接するリング状部材の他端を、前記凹窪部に連通して押し釦ケースの側部に開孔した差込孔からレリースワイヤを避けて差し込まれて凹窪部に係止される止め部材で直接的もしくは間接的に支承していることを特徴とするものである（請求項１）。
前記止め部材は、差込時にレリースワイヤと干渉しない開放部を前方側を開放した平面視形状に形成する。そして、凹窪部内面には差し込まれる止め部材が係止する係止凹部が凹設形成されている。
そして、前記間接的に支承とは、介在部材を介して支承することを指し、介在部材の一例としては凹窪部とアウターチューブとの間を水密状に閉塞するＯリングが挙げられる。
また、前記する止め部材は、ＰＯＭ等の合成樹脂材で成形されている。
【０００６】
前記技術的手段によれば、押し釦ケースに凹設されている凹窪部底に同凹窪部開放部から挿入するワッシャー部材を当接させ、次にリング状部材を外嵌した状態でレリースワイヤの一端側をその凹窪部開放部から挿入し、しかる後、押し釦ケースの側部に開孔してある差込孔から差し込み凹窪部に係止される止め部材でリング状部材を支承する。
これによってレリースワイヤにおけるアウターチューブ一端の鍔部はワッシャー部材と止め部材で支承されるリング状部材とで抜けないように支持され、そのアウターチューブから突出するインナーコアは押し釦ケースに上下動可能に挿嵌される押し釦の軸で押動可能となる。
従って、ワッシャー部材、リング状部材を外嵌状に備えたレリースワイヤの一端側を順次凹窪部の開放部から挿入し、そして側方から止め部材を差し込む簡単な作業でレリースワイヤの操作部（詳細には押し釦ケース）への連結作業が終了する。
【０００７】
また、浴槽、流し、洗面器等の容体に設けられた排水栓にレリースワイヤを介して連結された操作部の押動操作で前記排水栓を開閉し、該操作部を容体の内壁面に設けた排水栓装置において、前記操作部における押し釦ケースに押し釦側とは逆側から凹設された凹窪部にレリースワイヤ一端側を挿入してそのレリースワイヤから突出するインナーコアを押し釦で押動可能とし、レリースワイヤにおけるアウターチューブ一端に形成された鍔部を凹窪部底に当て付けられたワッシャー部材に当接し、該アウターチューブに外嵌状に設けられて一端が前記鍔部に当接もしくは近接するリング状部材の他端を、前記凹窪部に連通して押し釦ケースの側部に開孔した差込孔からインナーコアを避けて差し込まれて凹窪部に係止される止め部材で間接的に支承してなり、前記間接的に支承させる手段が、止め部材とリング状部材との間に介在されて凹窪部とアウターチューブとの間を閉塞する環状のシール部材である場合も有効なものである（請求項２）。
この環状のシール部材の一例としてＯリングが挙げられる。
【０００８】
前記技術的手段によれば、容体内レリースワイヤ配線タイプの排水栓装置でありながら、請求項１と同様な簡単な作業でレリースワイヤの操作部（詳細には押し釦ケース）への連結が行える上、インナーコアへの凹窪部からの水の進入が凹窪部を閉塞する環状のシール部材で防止される。
【０００９】
そして、更にリング状部材の前記一端がアウターチューブの鍔部に当接もしくは近接する鋭利形状に形成してあると好適なものである（請求項３）。
【００１０】
前記技術的手段によれば、アウターチューブの引張り方向に対して鍔部に食込んでアウターチューブの抜け強度を増強する。
【００１１】
更に、容体内レリースワイヤ配線タイプ、容体外レリースワイヤ配線タイプに関らず、ワッシャー部材がアウターチューブの鍔部外面と凹窪部内面との空間を閉塞して凹窪部に嵌挿され前記鍔部を嵌合する有底筒状を呈していると更に好適なものである（請求項４）。
【００１２】
前記技術的手段によれば、ワッシャー部材、リング状部材を外嵌挿したレリースワイヤの一端側を順次凹窪部の開放部から挿入する必要上、アウターチューブの鍔部回りと凹窪部内面との間に空間（クリアランス）が生じる。その空間（クリアランス）のため、閉栓状態に踏みつける等して栓蓋に押圧力が掛かっている状態で押し釦を誤って押動操作すると、栓蓋を押し上げられずに逃げ場を失うインナーコアは、前記空間（クリアランス）で逃げて屈曲しその部分で座屈変形を起してしまう。その座屈変形の原因となる逃げ場をアウターチューブの鍔部と凹窪部内面との空間（クリアランス）を閉塞する有底筒状のワッシャー部材で無くす。
その際、インナーコアには圧縮力が作用するが、インナーコアが金属材からなるコイル状のものの場合には、自らの圧縮で対応し、非圧縮性のインナーコアの場合には、アウターチューブの弾性的な伸延で対応する。
【００１３】
また、浴槽、流し、洗面器等の容体に設けられた排水栓にレリースワイヤを介して連結された操作部の押動操作で前記排水栓を開閉する排水栓装置において、前記操作部における押し釦ケースに押し釦側とは逆側から凹設された凹窪部にレリースワイヤ一端側を挿入してそのレリースワイヤから突出するインナーコアを押し釦で押動可能とし、レリースワイヤにおけるアウターチューブ一端に形成された鍔部を凹窪部底に当て付けられたワッシャー部材に当接すると共にそのワッシャー部材に対して前記鍔部を挟んでアウターチューブに外嵌挿されるバネ受け部材を設け、そのバネ受け部材と、前記凹窪部に連通して押し釦ケースの側部に開孔された差込孔からレリースワイヤを避けて差し込まれて同凹窪部に係止する止め部材とに亘って圧縮弾機を介在している場合も有効なものである（請求項５）。
【００１４】
この前記技術的手段によれば、押し釦ケースに凹設されている凹窪部底に同凹窪部開放部から挿入するワッシャー部材を当接させ、バネ受け部材、圧縮弾機を外嵌挿した状態でレリースワイヤの一端側をその凹窪部開放部から挿入し、しかる後、押し釦ケースの側部に開孔してある差込孔から差し込み凹窪部に係止される止め部材で圧縮弾機の前記鍔部とは逆側の端部を支承する。
これによってレリースワイヤにおけるアウターチューブ一端の鍔部は止め部材と圧縮弾機の弾撥力を受けたバネ受け部材で抜けないように支持され、そのアウターチューブから突出するインナーコアは押し釦ケースに上下動可能に挿嵌される押し釦の軸で押動可能となる。
従って、ワッシャー部材、バネ受け部材、圧縮弾機を外嵌挿したレリースワイヤの一端側を順次凹窪部の開放部から挿入し、そして側方から止め部材を差し込む簡単な作業でレリースワイヤの操作部（詳細には押し釦ケース）への連結作業が終了する。
また、閉栓状態に踏みつける等して栓蓋に押圧力が掛かっている状態で押し釦を誤って押動操作すると、栓蓋を押し上げられずに逃げ場を失うインナーコアの変形でアウターチューブに弾性的な伸延応力が生じる。その際、圧縮弾機を圧縮してアウターチューブの端部間を接近させ、それによってアウターチューブがインナーコアの圧縮による逃げ場を確保して、インナーコアの座屈変形を防止する。
【００１５】
そして、前記排水栓装置がその操作部を容体の内壁部に設けられる容体内レリース配線タイプであり、且つ前記止め部材と圧縮弾機との間に前記凹窪部とアウターチューブとの間を閉塞する環状のシール部材を介在している場合には、前記と同様にインナーコアへの凹窪部からの水の進入が凹窪部を閉塞する環状のシール部材で防止する上で好適である（請求項６）。
【００１６】
また、操作部を容体の内壁部に設けた容体内レリース配線タイプにおいて、押し釦ケースが容体の内壁部に設けられるベース板に取り付けられ、前記差込孔がベース板に相対して開孔されていると、止め部材がベース板で隠されることから、入浴者にとってより安全設計である（請求項７）。
【００１７】
また、容体内レリースワイヤ配線タイプの排水栓装置において、排水栓が、排水口内の口芯に配設した有底筒状の案内部と、栓蓋から垂設され前記案内部に上下動可能な案内される内部中空な昇降体と、その昇降体の底部から同昇降体内に一端側が挿入され他端部を案内部の底部に係止した支軸と、前記栓蓋を貫通して昇降体内に位置するレリースワイヤ他端側のインナーコアと、支軸と昇降体との間に設けられ操作部の押動操作によるインナーコアの前進で同インナーコア他端を支軸に形成されている凹部底に突き当てて昇降体と共に栓蓋を持上げロックして開栓し次のインナーコアの前進でそのロックを解除して閉栓するスラストロック機構とを有する構成とし、前記栓蓋もしくは昇降体から昇降体内に向けてインナーコアの案内筒を垂設し、該案内筒を前記支軸の凹部に僅かなクリアランスを介して遊嵌もしくは摺接関係に構成し、且つ案内筒の垂設長さを前記ロック解除状態において該案内筒が前記凹部内に位置する長さにしている場合も有効なものである（請求項８）。
【００１８】
前記技術的手段によれば、押し釦を押動操作してインナーコアを前進させてインナーコア他端を支軸に形成されている凹部底に突き当てて昇降体と共に栓蓋を持上げてスラストロック機構をロックして開栓し、次の押し釦の押動操作によるインナーコアの前進でスラストロック機構のロックを解除して閉栓する。
その開栓状態から押し釦を押動操作してロックを解除した段階で押し釦を押しっぱなしのまま誤って踏みつける等して押圧力が栓蓋に作用した際のインナーコアの外方への逃げが案内筒で妨げられ、インナーコアの座屈変形が防止される。座屈変形はないもののインナーコアには圧縮力が作用するが、インナーコアが金属材からなるコイル状のものの場合には、自らの圧縮で対応し、非圧縮性のインナーコアの場合には、アウターチューブの弾性的な伸延で対応すること前記と同様である。
前記開栓状態から押し釦を押動操作してロックを解除した段階で押し釦を押しっぱなしのまま誤って踏みつける等して押圧力が栓蓋に作用する条件とは、即ち押し釦側と栓蓋側双方からの負荷荷重が作用する条件とは、例えば浴槽では清掃後給水する際に押し釦を押動操作してロックを解除した後に滑って押し釦を押動したまま足で栓蓋を踏みつけた場合や、子供が槽内で遊んでいる最中に手による押し釦の押動操作と栓蓋に掛かる人体荷重の相互作用がほぼ同時に行なわれた時等に発生する。
【００１９】
【発明の実施の形態】
図１〜図９は本発明排水栓装置の第１の実施の形態を、図１０は同第２の実施の形態を、図１１及び図１２は、同第３の実施の形態を各々示している。まず第１の実施の形態を説明すると、符号Ａは排水栓装置である。
【００２０】
この排水栓装置Ａは、操作部１と、容体１００の底に設けられている排水栓２と、前記操作部１と排水栓２とを連結する遠隔操作用のレリースワイヤ３とから構成されている。
【００２１】
操作部１は、図１、図８に示すようにベース板１１と、押し釦ケース２１と、押し釦３１とから構成されており、そのベース板１１は、例えば浴槽（容体）１００の内壁面に両面テープ、ボルト・ナット等の取付手段２００で取付け固定されており、そのベース板１１から浴槽１００内に向けて起設した引っ掛け片（図示せず）に押し釦ケース２１を係脱可能に係止し、その押し釦ケース２１に先端に押し釦３１を取付けた軸３１１が上下動可能に挿入されている。
【００２２】
押し釦ケース２１は、ＡＢＳ樹脂等の耐熱性の合成樹脂製であり、ベース板１１側及び上端側を開放した正面視略縦長矩形状を呈してなり、各稜線部を湾曲状にして入浴者の肌に対して優しい外観形状にしてある。
また、この押し釦ケース２１は、押し釦３１側とは逆側、即ち下側から凹設された凹窪部２１１を備えると共に、その凹窪部２１１底に連通してその凹窪部２１１よりも小径な前記軸３１１用の通孔２１２を開孔し、下端近傍の側部、詳細にはベース板１１側から前記凹窪部２１１に連通する差込孔２１３を開孔している。
【００２３】
前記押し釦ケース２１へのレリースワイヤ３一端の取付けは、本実施の形態においては２枚のワッシャー部材４、リング状部材５、環状のシール部材（例えばＯリング）６、止め部材７を使用して行なわれる。
【００２４】
レリースワイヤ３は、インナーコア１３と、そのインナーコア１３を摺動可能な案内するアウターチューブ２３とからなっており、その両端にフレア加工で鍔部２３１を周設した構成になっており、インナーコア１３をその両端から突出させてある。
【００２５】
リング状部材５は、金属製もしくは合成樹脂製であり、レリースワイヤ３のアウターチューブ２３に遊外嵌され、鍔部２３１に相対する端部を鋭利形状、即ち尖頭状の鋭利部１５が形成されている。
【００２６】
止め部材７は、ＰＯＭ等の合成樹脂材で成形されており、図３に示すように、下半部を凹設することによって上半部に差込用段突部１７１、１７１を両側面部に突設状に有する平面視矩形状の本体１７の中央部に前側を開放したレリースワイヤの通孔１７２を開孔し、その通孔１７２の内面形状を縦断面視で先窄み形状とし、後面部に下側に向けて位置決め片１７３を垂設した構成になっている。
また、止め部材７の前側開放部は、差込時に干渉せずにレリースワイヤ３を通孔１７２に導く程度の広さを有している。
【００２７】
前記差込孔２１３は、本実施の形態においては、ベース板１１に面する側に開孔されており、且つその入口部分に前記止め部材７後面部の位置決め片１７３を位置決めする凹段部２１３ａが凹設してある。
【００２８】
前記凹窪部２１１は、前記差込孔２１３に連続して前記止め部材７の差込用段突部１７１、１７１を係止させるために係止起立片２１４、２１４を内面に突設形成しており、止め部材７を差込孔２１３から位置決め片１７３が凹段部２１３ａに位置決めされるまで差し込むと、係止起立片２１４、２１４が前記差込用段突部１７１、１７１を自ずと係止するようになっている。
【００２９】
押し釦３１は、押し釦ケース２１と同様にＡＢＳ樹脂等の耐熱性の合成樹脂製であり、下面及び後面を開放した箱状を呈してなり、軸３１１先端に取付けられて押し釦ケース２１の上側開放部の外面に沿って上下動する大きさに形成されている。
【００３０】
環状のシール部材６は、レリースワイヤ３に水密状に嵌合されており、凹窪部２１１にセットした際、その凹窪部２１１内面との間を閉塞する所定の径のものを使用する。
【００３１】
押し釦ケース２１にレリースワイヤ３一端を取付ける際には、レリースワイヤ３に環状のシール部材（例えばＯリング）６、下位のワッシャー部材４、リング状部材５を順次嵌挿させた後、上位のワッシャー部材４をアウターチューブ２３の鍔部２３１上に載置（位置）させた状態でインナーコア１３の先端を押し釦３１の軸３１１下端に連結し、その状態で軸３１１を凹窪部２１１の下端開放部から通孔２１２に挿入する。続いて差込孔２１３から止め部材７を差込み係止する。すると止め部材７上面で環状のシール部材６が若干圧潰されてその弾性力で凹窪部２１１底に位置決めされる上位のワッシャー部材４とリング状部材５先端の鋭利部１５でアウターチューブ２３の鍔部２３１が軽く挟持され、抜け止め不能となる。無論、止め部材７を差込係止した状態でリング状部材５先端の鋭利部１５がアウターチューブ２３の鍔部２３１に近接するレイアウトすること自由である。
しかる後、軸３１１に押し釦３１を取付け、押し釦ケース２１をベース板１１に係止して操作部１のセットは完了する。
【００３２】
図１、図８は、各々排水栓が閉栓状態、開栓状態の時の操作部１を示している。
【００３３】
排水栓２は、浴槽１００の底の排水口１０１に設けられる排水口部材１０１ａの口芯に配設された有底筒状の案内部１２と、栓蓋２２と、その栓蓋２２から垂設する内部中空状の昇降体３２と、昇降体３２の下端から挿通される支軸４２と、栓蓋２２を貫通して昇降体３２内に位置するレリースワイヤ３他端側のインナーコア１３と、支軸４２と昇降体３２とに亘って設けられるスラストロック機構５２等とから構成されている。
【００３４】
昇降体３２は、上端に栓蓋２２を一体的に固定した内部中空とする筒体であり、その底部のガイド口３２１から支軸４２が上下動可能に挿入されている。
【００３５】
案内部１２は、前記排水口部材１０１ａに設けた支持ブラケット１０１ａ’に一体に成形したり、そのブラケット１０１ａ’に嵌合係止された有底筒体であり、内径を、前記昇降体３２を上下案内可能とすべくその昇降体３２よりも僅かながら大径に形成されている。
尚、前記昇降体３２の外面には係合用凸条（図示せず）を等間隔をおいて突設する一方、案内部１２の外面にはその係合用凸条を上下方向にスライド可能に案内する係合用案内溝（図示せず）を凹設し、両者の係合関係で横振れを起すことなく、昇降体３２が上下動するように配慮されている。
【００３６】
スラストロック機構５２は、図２、図５〜図７、図９に示すように支軸４２の上端部に回転可能に備えられた回転リング５２１と、昇降体３２の側壁に設けられた係止歯５２２と、昇降体３２の内底面に設けられた固定歯５２３と、スプリング（圧縮弾機）５２４とを備えている。
回転リング５２１は、図５に示すように支軸４２に設けられた上下鍔部４２１、４２１間に抜止不能に嵌挿され、外側上下面に、係止歯５２２と固定歯５２３とに係合する４個の係合歯部５２１ａ…を相互に９０度の間隔で設けて形成されている。
上記係合歯部５２１ａ…は、上端部と下端部を傾斜面とする略横向き台形状に形成され、上端部が後述する係止歯５２２の鋸状歯部５２２ａに係合し、下端部が後述する固定歯５２３の鋸状歯部５２３ａに係合するようになっている。
固定歯５２３と係止歯５２２とは、互いに前述した鋸状歯部５２３ａ、５２２ａが向かい合うように対向配置されている。
固定歯５２３は、昇降体３２における底部、詳細には、昇降体３２の下開放部を閉塞するキャップ３２３に前述した鋸状歯部５２３ａを形成することで構成されている。
係止歯５２２は、昇降体３２の側壁に、互いに９０度の間隔を空けて４個形成されており、この４個の係止歯５２２…の下端に夫々前述した鋸状歯部５２２ａが形成されている。
前記昇降体３２における前記４個の係止歯５２２…相互の間には、前記回転リング５２１における上側の係合歯部５２１ａが案内される溝部３２’が刻設されている。
スプリング５２４は、前記昇降体３２の底部と、回転リング５２１を抜止不能とする前記下側の鍔部４２１との間に圧縮状に介在させてある。
【００３７】
栓蓋２２は、円板部２２１と、その円板部２２１に係着する凸曲面状の蓋部２２２とからなる内部中空状を呈してなり、蓋部２２２の側方から栓蓋２２の中央側に向けて上向き傾斜状にレリースワイヤ３の他端側（下端側）を導入して保持している。
【００３８】
前記レリースワイヤ３の栓蓋２２内への保持部は、円板部２２１から立ち上げ形成した立ち上げ部２２１ａの頂底と、その立ち上げ部２２１ａと相対する蓋部２２２の内面に凹設したガイド溝２２２ａの底とでレリースワイヤ３を抱持している。
符号２２２ｂは、前記ガイド溝２２２ａ縁から垂設して前記立ち上げ部２２１ａの両側面に当接して立ち上げ部２２１ａを挟持する前後一対の位置決め片である。
【００３９】
また、レリースワイヤ３の他端側は、栓蓋２２を挿通させて前記抱持部先端から同レリースワイヤを下向きに湾曲させ、その先端を、円板部２２１において昇降体３２の真上部分に水密状に連結させてある。
【００４０】
前記水密状の連結部は、円板部２２１の丁度中央部において大径凹部２２１ｂと小径凹部２２１ｃとを上下２段にして同芯をもって凹設すると共に下段の小径凹部２２１ｃ底にインナーコア１３のみを昇降体３２内に通す通し孔２２１ｄを開孔し、前記レリースワイヤ３におけるアウターチューブ２３先端を小径凹部２２１ｃ底に位置決めすると共に大径凹部２２１ｂの底にアウターチューブ２３に固定したワッシャー２３２を配置し、その上にＯリングＯをその一部が上方に突出するように同大径凹部２２１ｂ内に嵌合し、大径凹部２２１ｂ、小径凹部２２１ｃを挟んで円板部２２１に設けた一対のレール２２１ｅ、２２１ｅに２又状の係止片２２１ｆ’、２２１ｆ’を有する係止体２２１ｆを抜差し可能に係止して前記ＯリングＯを圧潰し、それによってアウターチューブ２３の他端（下端）が円板部２２１に水密状に連結されて、インナーコア１３のみが昇降体３２内に突出させてある。
【００４１】
インナーコア１３の他端（下端）は、前記通し孔２２１ｄに連通して円板部２２１から垂設した案内筒２２１ｇを通って、図示するように支軸４２の上端側から凹設した凹部４２１底に当接もしくは接近するように位置させてある。
前記案内筒２２１ｇは、ロック解除状態においても凹部４２１内に位置する程度を最低限の長さとして垂設されている（図９参照）。また、この案内筒２２１ｇは、支軸４２の凹部４２１に対して僅かなクリアランスを介して遊嵌もしくは摺接する関係になっている。
【００４２】
また、前記支軸４２下端部と案内部１２の底部との間には、支軸４２の下端部が係止される係止手段８が構成されている。
【００４３】
この係止手段８は、前記案内部１２の底に形成した係止孔１８と、支軸４２の下端部に近傍に凹設した係止凹部２８とで構成されており、その係止孔１８に係止凹部２８が係止され、それによって支軸４２は上下移動不能になっている。
本実施の形態では、少なくとも支軸４２の下端部位を軸方向に２分するように切り割りして若干の弾性を持たせるようにしてある。
【００４４】
このように構成されている排水栓２の作動を順を追って説明すると、
図２に示す状態は、閉栓状態である。この閉栓状態では、回転リング５２１の上下の係合歯部５２１ａ、５２１ａは、溝部３２’の上端域に位置している。
この図２に示す係止状態、即ち図６から押し釦３１を押動操作すると、インナーコア１３が前進して支軸４２を押動するが、支軸４２下端部が前記係止手段８で上下移動不能に係止されていることから行き場を失ったインナーコア１３は、昇降体３２を上昇させることになる。詳細にはスプリング５２４を圧縮しながら前記回転リング５２１の下側の係合歯部５２１ａが溝部３２’で案内されると共に固定歯５２３の鋸状歯部５２３ａに、同下側の係合歯部５２１ａが接触して、（図７（ａ））に示すようにその鋸状歯部５２３ａの斜面に沿って移動するまで昇降体３２は上昇する（矢印が示す方向は、昇降体３２の上下動及び回転リング５２１の回転方向を示し、以下の（ｂ）（ｃ）（ｄ）も同様である。）。そして、押し釦３２の押動操作を停止すると、図７（ｂ）に示すように上記スプリング５２４の付勢力を受けて下降する係止歯５２２の鋸状歯部５２２ａに回転リング５２１における上側の係合歯部５２１ａが係止し、栓蓋２２を排水口１０１から上方に離間させて開口（開栓）する（図９）。尚、開栓時には、支軸４２の凹部４２１内に、インナーコア１３の案内筒２２１ｇの先端が少なくとも位置するレイアウトになる。
この開栓状態から再び閉栓状態にする時には、押し釦３１を押動操作して、スプリング５２４の付勢力に抗して昇降体３２をいったん上昇させて固定歯５２３の鋸状歯部５２３ａに回転リング５２１の下側の係合歯部５２１ａを接触させると共にその鋸状歯部５２１ａの斜面に沿ってその下側の係合歯部５２１ａを移動させ（図７（ｃ））、そして、押し釦３１の押動操作を停止すると、スプリング５２４の付勢力で下降する係止歯５２２の鋸状歯部５２２ａの斜面で回転リング５２１の上側の係合歯部５２１ａが案内されながら同上側の係合歯部５２１ａが溝部３２’に導かれて（図７（ｄ））昇降体３２を前記する図２まで下降させ、閉口（閉栓）する。
【００４５】
従って、斯様な構成になっている排水栓装置においては、プライヤー等の特殊工具を使用して螺子込む作業を遂行することなく、ワッシャー部材４、４、リング状部材５、シール部材６のレリースワイヤ３への外嵌挿、止め部材７の差込によって金属部材が外部に露出することなく操作部１にレリースワイヤ３の一端側を連結することができる。
また、開栓時には、支軸４２の凹部４２１内に、インナーコア１３の案内筒２２１ｇの先端が少なくとも位置するレイアウトになっているため、開栓状態から押し釦３１を押動操作してロックを解除した段階で誤って押し釦３１を押動操作しっぱなしで栓蓋２２を踏みるようなアクシデントが生じることになっても、案内筒２２１ｇでインナーコア１３の昇降体３２内空間への逃げが防止される（図９参照）。
【００４６】
次に図１０で示す第２の実施の形態を説明すると、この実施の形態は、前記する上位のワッシャー部材４が、前記アウターチューブ２３の鍔部２３１外周面と凹窪部２１１内面との空間（クリアランス）Ｓを閉塞する有底筒状に形成した振れ防止用の筒状部１４を有すること以外、前記する第１の実施の形態と同様であるため、同一符号を付けて説明は省略する。
【００４７】
前記する第１の実施の形態では、上下のワッシャー部材４、４、リング状部材５を外嵌挿したレリースワイヤ３の一端側を順次凹窪部２１１の開放部から挿入する必要上、アウターチューブ２３の鍔部２３１回りと凹窪部２１１内面との間に空間（クリアランス）Ｓが生じる（図１、図８参照）。閉栓状態に踏みつける等して栓蓋２２に押圧力が掛かっている状態で押し釦３１を誤って押動操作したりすると、逃げ場を失うインナーコア１３は、前記空間Ｓで逃げて屈曲しその部分で座屈変形を起してしまう。その座屈変形の原因となる逃げ場をアウターチューブ２３の鍔部２３１と凹窪部２１１内面との空間Ｓを閉塞する振れ防止用の筒状部１４で無くす構造である。
この筒状部１４は、レリースワイヤ３の一端を操作部１に連結する凹窪部２１１への差込時に丁度嵌合される程度の径に形成されている。
押し釦ケース２１にレリースワイヤ３一端を取付ける順序は、前記第１の実施の形態と同様であるため、省略する。
【００４８】
次に図１１、図１２で示す第３の実施の形態を説明すると、この実施の形態は、前記するリング状部材を省略する代わりに、前記する筒状部１４を有するワッシャー部材４に対してアウターチューブ２３の鍔部２３１を挟んでアウターチューブ２３に外嵌挿するバネ受け部材４’を設け、そのバネ受け部材４’と、環状のシール部材７すぐ上のワッシャー部材４との間に圧縮弾機Ｂを介在した構造になっている。
前記バネ受け部材４’と、環状のシール部材６すぐ上のワッシャー部材４は共に平ワッシャーである。
前記圧縮弾機Ｂは、バネ受け部材４’と、止め部材７上の環状のシール部材６とに亘って介在してある。
【００４９】
この実施の形態では、図１１に示すように、通常時において圧縮弾機Ｂの弾撥力でアウターチューブ２３１はワッシャー部材４を介して間接的に凹窪部２１１に弾接している。そして、例えば閉栓状態に踏みつける等して栓蓋２２に押圧力が掛かっている状態で押し釦３１を誤って押動操作した場合に、インナーコア１３に圧縮力が生じるが、アウターチューブ２３の鍔部２３１がバネ受け部材４’を介して圧縮弾機Ｂを圧縮するように端部間を接近させるように下降して（図１２参照）、アウターチューブ２３がインナーコア１３の逃げ場を作ることから、インナーコア１３の座屈変形を防止することができる。
【００５０】
尚、本発明は、容体内レリースワイヤ配線タイプの排水栓装置を詳述しているが、請求項１、３、４においては容体外レリースワイヤ配線タイプの排水栓装置を包含するものである。
即ち、通常容体外レリース配線タイプの排水栓装置は、浴槽であればその上縁面に、また洗面器であればボール部サイドの上縁面等に各々操作部が取付けられる。詳細には、その操作部は、円筒状の押し釦ケースから取付鍔部を突設し、その取付鍔部を上縁面やその上縁面に設けた凹部に収容状に取付け、その押し釦ケースに上下動可能に嵌挿された軸の先端に押し釦には取付けてあり、一方排水栓は、浴槽の底に開口されている排水口に設けられた排水口部材に、操作部（詳細には押し釦）の押動操作によるインナーコアの前進で支軸を上昇させて栓蓋を持上げロックして開栓し次のインナーコアの前進でそのロックを解除して栓蓋を下降させて閉栓するスラストロック機構を内蔵したメカボックスを備えた周知な構造になっている。
前記レリースワイヤの一端側を操作部に前記第１、第２、第３の実施の形態と同様な構成でもって連結し、レリースワイヤの他端側においては前記周知な構造でメカボックスの底部に連結しインナーコアのみをメカボックス内に位置する支軸を昇降できるように挿通させるようにする。
このようにすることよって、容体外レリース配線タイプの排水栓装置であっても、増し締めを伴うジョイント金具の螺子込み作業が全く不要であり、操作部（詳細には押し釦ケース）へのレリースワイヤの組付作業が非常に簡単な排水栓装置を構成することができるものであるし、前記と同様な原因でのインナーコアの座屈変形を防止することができる。また、その容体外レリース配線タイプの排水栓装置の場合には、前記環状のシール部材は敢えて必要ではない。その場合に、前記リング状部材５の下端、圧縮弾機Ｂの下端は止め部材７上のワッシャー部材４または止め部材７で直接支持する構造を採用する。
【００５１】
【発明の効果】
本発明は以上のように、押し釦ケースに凹設されている凹窪部底に同凹窪部開放部から挿入するワッシャー部材を当接させ、続いてリング状部材を外嵌状に有するレリースワイヤの一端側をその凹窪部開放部から挿入し、最後に押し釦ケースの側部に開孔してある差込孔から止め部材を差し込み係止することで、レリースワイヤの操作部（詳細には押し釦ケース）への連結作業が完了する。
従って、従来のように増し締めを伴うジョイント金具の螺子込み作業が全く不要であり、操作部（詳細には押し釦ケース）へのレリースワイヤの組付作業が非常に簡単に行える。
しかも、従来のようにジョイント金具のような金属部材が押し釦ケースの下端から露出することがないから、例えば浴槽内にレリースワイヤを配線するタイプの排水栓装置のようにその露出する金属金具で入浴者が怪我をすることもなく、安全である。
【００５２】
また、止め部材とリング状部材との間に環状のシール材を介在して凹窪部とアウターチューブとの間を閉塞しているものにあっては、容体内レリースワイヤ配線タイプの排水栓装置において、仮に操作部の一部が浸っても水が凹窪部からインナーコアを伝ってレリースワイヤ内に進入することがなく、インナーコアの摺動性を損なわず、作動不良を回避することができる。
【００５３】
更に、特に容体内レリースワイヤ配線タイプの排水栓装置において、アウターチューブの抜けを防止するリング状部材において、アウターチューブの鍔部に当接もしくは接近する端部が鋭利状を呈していると、例えば使用中（入浴中、洗面器や流しを使用中）に誤ってレリースワイヤに手、指等が触れて引張り力が作用してもその鋭利な端部がアウターチューブの鍔部に食込んで抜けをより確実に防止する上で有効である。
【００５４】
また、ワッシャー部材がアウターチューブの鍔部の外面と凹窪部内面との空間を閉塞する振れ防止用の有底筒状を呈しているものにあっては、閉栓状態で踏みつける等して栓蓋に押圧力が掛かっている状態で押し釦を誤って押動操作するアクシデント時でも逃げ場を無くしてインナーコアの座屈変形を防止することができる。
【００５５】
そして、操作部において、レリースワイヤにおけるアウターチューブ一端に形成された鍔部を凹窪部底に当て付けられたワッシャー部材に当接すると共にそのワッシャー部材に対して前記鍔部を挟んでアウターチューブに外嵌挿されるバネ受け部材と、前記凹窪部に連通して押し釦ケースの側部に開孔された差込孔からレリースワイヤを避けて差し込まれて同凹窪部に係止する止め部材とに亘って圧縮弾機を介在している構成にあっては、前記と同様に閉栓状態で踏みつける等して栓蓋に押圧力が掛かっている状態で押し釦を誤って押動操作するアクシデント時にその圧縮弾機を圧縮してアウターチューブ端部間を接近させてインナーコアが逃げる余裕を自ずと作り出すので、アウターチューブに負担を掛けることなくインナーコアの座屈変形を防止することができるし、アウターチューブの弾性変形による反発力をインナーワイヤに掛けることも極力防止し、インナーワイヤにとっても親切設計である。
【００５６】
また、容体内レリースワイヤ配線タイプの排水栓装置において、押し釦ケースが容体の内壁部に設けられるベース板に取り付けられ、前記差込孔がベース板に相対して開孔されていると、止め部材さえもベース板で隠されて容体内に露出しないため、入浴者に対する安全性を更に向上させることができる。
【００５７】
しかも、容体内レリースワイヤ配線タイプの排水栓装置において、押し釦を押動操作してインナーコアを前進させてインナーコア他端を支軸に形成されている凹部底に突き当てて昇降体と共に栓蓋を持上げてスラストロック機構をロックして開栓し、次の押し釦の押動操作によるインナーコアの前進でスラストロック機構のロックを解除して閉栓する構造のものにあって、例えば浴槽では清掃後給水する際に押し釦を押動操作してロックを解除した後に滑って押し釦を押っぱなしのまま足で栓蓋を踏みつけた場合や、子供が槽内で遊んでいる最中に手による押し釦の押動と栓蓋に掛かる人体荷重の相互作用がほぼ同時に行なわれてインナーコアに押圧力が作用するアクシデントが生じても、インナーコアの外方への逃げを案内筒で阻止して座屈変形を防止する安全性を付与する。
【００５８】
その上、栓蓋もしくは昇降体から昇降体内に向けて垂設するインナーコアの案内筒が支軸に凹設した凹部内に遊嵌もしくは摺動する構成であるから、開栓する時及び閉栓する時昇降体が支軸の挿通部を中心にグラ付くことがなく優れた直進性を発揮し、スラストロック機構を構成する歯の噛み合い関係が不良になって空作動するようなアクシデントも未然に防止することができる。
【図面の簡単な説明】
【図１】第１の実施の形態における排水栓装置の操作部の拡大断面図で、閉栓状態を示す。
【図２】同第１の実施の形態における排水栓装置の排水栓の拡大断面図で、閉栓状態を示す。
【図３】押し釦ケース、止め部材、レリースワイヤの関係を示し、（ａ）は同斜視図。（ｂ）は止め部材の底面方向からの拡大斜視図である。
【図４】栓蓋の分解斜視図で、一部切欠して示す。
【図５】昇降体と、その内部のスラストロック機構とを示す分解斜視図。
【図６】回転リングの係合歯部、係止歯、固定歯との関係を示す展開図。
【図７】回転リングの係合歯部、係止歯、固定歯との関係を示す展開図で、（ａ）は、操作部押動操作して回転リングの下側の係合歯部が固定歯の鋸状歯部の斜面に沿って移動している開栓途中の状態を示し、（ｂ）は、押動操作を停止して、回転リングの上側の係合歯部が係止歯の鋸状歯部に係止して開栓している状態を示し、（ｃ）は、更に押動操作して、回転リングの下側の係合歯部が係止歯の鋸状歯部の斜面で案内されている状態を示し、（ｄ）は、押動操作を停止し、回転リングの上側の係合歯部が係止歯の鋸状歯部の斜面で案内され、更に溝部に移動されて、排水口を閉栓させようとする状態を示す。
【図８】同実施の形態の操作部の拡大断面図で、開栓状態を示す。
【図９】同実施の形態の排水栓の拡大断面図で、開栓状態を示す。
【図１０】第２の実施の形態における排水栓装置の排水栓の拡大断面図で、閉栓状態を示す。
【図１１】第３の実施の形態における排水栓の操作部の拡大断面図で、閉栓状態を示す。
【図１２】同実施の形態の操作部の拡大断面図で、閉栓状態で踏みつける等して栓蓋に押圧力が掛かっている状態で押し釦を誤って押動操作している状態を示す。
【図１３】従来例の排水栓装置における操作部の拡大断面図である。
【図１４】別の従来例の排水栓装置における排水栓の拡大断面図で、開栓状態を示す。
【符号の説明】
Ａ：排水栓装置                            １：操作部
２：排水栓                                ３：レリースワイヤ
１３：インナーコア                        ２３：アウターチューブ
３１：押し釦                              ２１：押し釦ケース
２３１：鍔部（アウターチューブの鍔部）        ５：リング状部材
２１３：差込孔                            ２１１：凹窪部
６：環状のシール部材                      ７：止め部材
Ｓ：空間（アウターチューブの鍔部と凹窪部内面との間の空間）
１４：筒状部                          １０１ａ：排水口部材
１０１：排水口                              １２：案内部
３２：昇降体                              ４２：支軸
２２：栓蓋                              ４２１：凹部
５２：スラストロック機構              ２２１ｇ：案内筒
４：ワッシャー部材                    １００：容体（浴槽）
Ｂ：圧縮弾機                            ４’：バネ受け部材
【図１】
0003559773.tif 000002
【図２】
0003559773.tif 000003
【図３】
0003559773.tif 000004
【図４】
0003559773.tif 000005
【図５】
0003559773.tif 000006
【図６】
0003559773.tif 000007
【図７】
0003559773.tif 000008
【図８】
0003559773.tif 000009
【図９】
0003559773.tif 000010
【図１０】
0003559773.tif 000011
【図１１】
0003559773.tif 000012
【図１２】
0003559773.tif 000013
【図１３】
0003559773.tif 000014
【図１４】
0003559773.tif 000015